(57)【要約】　　　（修正有）【課題】光ディスクへ記録される情報の記録品質を向上させる光ディスク装置及び光ディスク装置の記録制御方法を提供する。【解決手段】回転制御用のウォブル信号と、記録位置検索用の第１のプリピット信号とに基づいて、光ディスクの回転及び記録のための制御を行う光ディスク装置において、ウォブル信号の２値化信号と基準クロック信号とを位相比較する第１のＰＬＬ手段と、第１のＰＬＬ手段から得られる基準クロック信号と第１のプリピット信号の２値化信号とを位相比較し、情報トラックへ情報を記録するためのクロック信号を出力する第２のＰＬＬ手段と、隣り合う情報トラック側に対応する第２のプリピット信号を検出する検出手段と、ウォブル信号を２値化するための閾値にて、検出手段が第２のプリピット信号を検出したとき、第１のＰＬＬ手段の位相比較出力を所定時間だけ無効とするための制御信号を出力する制御手段と、を有する。【選択図】　　　図４
2004103045.tif 000002
【特許請求の範囲】
【請求項１】
光ディスクの情報トラックから検出される回転制御用のウォブル信号と、隣り合う前記情報トラックの間から検出される記録位置検索用の第１のプリピット信号とに基づいて、前記光ディスクの回転及び記録のための制御を行う光ディスク装置において、
前記ウォブル信号の２値化信号と基準クロック信号とを位相比較する第１のＰＬＬ手段と、
前記第１のＰＬＬ手段から得られる前記基準クロック信号と前記第１のプリピット信号の２値化信号とを位相比較し、前記情報トラックへ情報を記録するためのクロック信号を出力する第２のＰＬＬ手段と、
隣り合う情報トラック側に対応する第２のプリピット信号を検出する検出手段と、
前記ウォブル信号を２値化するための閾値にて、前記検出手段が前記第２のプリピット信号を検出したとき、前記第１のＰＬＬ手段の位相比較出力を所定時間だけ無効とするための制御信号を出力する制御手段と、
を有することを特徴とする光ディスク装置。
【請求項２】
前記制御手段は、
前記第１のＰＬＬ手段の位相比較出力を前記所定時間だけ前の状態に保持するための信号を、前記制御信号として出力することを特徴とする請求項１に記載の光ディスク装置。
【請求項３】
前記第１のＰＬＬ手段は、
前記ウォブル信号の２値化信号と前記基準クロック信号とを位相比較して得られる位相差信号に基づいて動作するチャージポンプ手段を有し、
前記制御手段は、
前記制御信号を前記チャージポンプ手段に供給することにより、前記チャージポンプ手段の出力を、前記制御信号が出力される前の状態に前記所定時間だけ保持することを特徴とする請求項２に記載の光ディスク装置。
【請求項４】
前記制御手段は、
前記制御信号を前記チャージポンプ手段に供給することにより、前記チャージポンプ手段の出力を、前記所定時間だけハイインピーダンス状態にすることを特徴とする請求項３に記載の光ディスク装置。
【請求項５】
前記第１のＰＬＬ手段は、
前記ウォブル信号の２値化信号と前記基準クロック信号とを位相比較する位相比較手段を有し、
前記制御手段は、
前記制御信号を前記位相比較手段に供給することにより、前記位相比較手段の出力を、前記制御信号が出力される前の状態に前記所定時間だけ保持することを特徴とする請求項２に記載の光ディスク装置。
【請求項６】
前記制御手段は、
前記制御信号を前記位相比較手段に供給することにより、前記位相比較手段の出力を、前記所定時間だけリセットすることを特徴とする請求項５に記載の光ディスク装置。
【請求項７】
前記第１のＰＬＬ手段は、
前記ウォブル信号の２値化信号と前記基準クロック信号とを位相比較して得られる位相差信号に基づいて動作するフィルタ手段を有し、
前記制御手段は、
前記制御信号を前記フィルタ手段に供給することにより、前記フィルタ手段の出力を、前記制御信号が出力される前の状態に前記所定時間だけ保持することを特徴とする請求項２に記載の光ディスク装置。
【請求項８】
前記フィルタ手段は、
前記位相差信号に基づいて充電又は放電動作を行う容量素子を有し、
前記制御手段は、
前記制御信号を前記フィルタ手段に供給することにより、前記第２のプリピット信号が検出されたときには、前記フィルタ手段の出力を、前記位相差信号に基づいて前記容量素子への充電又は放電動作が行われる前の状態に前記所定時間だけ保持することを特徴とする請求項７に記載の光ディスク装置。
【請求項９】
前記光ディスク装置は、
前記第２のプリピット信号を２値化する手段を有し、
前記制御手段は、
前記第２のプリピット信号の２値化信号が所定の論理となっている区間よりも短い区間を前記所定時間とし、前記所定時間に対応する信号を前記制御信号として出力することを特徴とする請求項３乃至８に記載の光ディスク装置。
【請求項１０】
前記制御手段は、
前記第１のＰＬＬ手段にて前記ウォブル信号の２値化信号と前記基準クロック信号とを位相比較して出力される位相比較信号と、前記第２のプリピット信号の２値化信号と、の論理積を前記制御信号として出力することを特徴とする請求項９に記載の光ディスク装置。
【請求項１１】
前記制御手段を前記第１のＰＬＬ手段に備えることを特徴とする請求項１乃至１０に記載の光ディスク装置。
【請求項１２】
光ディスクの情報トラックから検出される回転制御用のウォブル信号と、隣り合う前記情報トラックの間から検出される記録位置検索用の第１のプリピット信号とに基づいて、前記光ディスクの回転及び記録のための制御を行う光ディスク装置の記録制御方法において、
前記ウォブル信号の２値化信号と基準クロック信号とを位相比較して第１のＰＬＬ制御を行う工程と、
前記第１のＰＬＬ制御にて得られる前記基準クロック信号と前記第１のプリピット信号の２値化信号とを位相比較して第２のＰＬＬ制御を行い、前記情報トラックへ情報を記録するためのクロック信号を出力する工程と、
前記ウォブル信号を２値化するための閾値にて、隣り合う情報トラック側に対応する第２のプリピット信号が検出されたとき、前記第１のＰＬＬ制御を行う工程における位相比較出力を所定時間無効とするための制御信号を出力する工程と、
を有することを特徴とする光ディスク装置の記録制御方法。
【発明の詳細な説明】
【０００１】
【発明の属する技術分野】
本発明は、光ディスクへ記録される情報の記録品質を向上させる光ディスク装置に関する。
【０００２】
【従来の技術】
レーザー光を利用してデータ記録が可能な記録型の光ディスクには、例えば、ＣＤ−ＲやＤＶＤ−Ｒ、ＤＶＤ＋Ｒ等のデータ追記型（Ｗｒｉｔｅ　Ｏｎｃｅ）の光ディスクと、ＣＤ−ＲＷやＤＶＤ−ＲＷ、ＤＶＤ＋ＲＷ等の書き換え可能型（ＲｅＷｒｉｔａｂｌｅ）の光ディスクとがある。
【０００３】
このような光ディスクでは、プリフォーマットとしてグルーブウォブリングとランドプリピットと呼ばれる二つの方式を利用することによって、情報の記録・再生の信頼性を高める工夫がなされている。図６に示すように、まず、光ディスク１の基板上には、情報を記憶するトラックとしてのグルーブトラック４が形成されている。なお、グルーブトラック４は、光ディスク１の回転制御を行う為の基準クロックに基づいた周波数によってウォブリングしている。また、隣り合うグルーブトラック４間の領域は、ランドトラック２と呼ばれ、このトラック４上にプリピット３が形成されている。なお、プリピット３は、光ディスク１への情報記録時の位置検索に必要となるアドレス情報や同期信号等（以下、これらを総称してＬＰＰ（Ｌａｎｄ　Ｐｒｅ−Ｐｉｔ）信号と称す）を表現している。
【０００４】
ここで、光ディスク１への情報の記録・再生を行う光ディスク装置では、情報記録時において、光ビームＢをその中心がグルーブトラック４の中心と一致するように照射し、グルーブトラック４上において記録情報に対応する情報記録ピットを形成する。なお、この際の光スポットＳＰの一部は、光ビームＢを照射したグルーブトラック４の両側に隣接するランドトラック２にも照射されるように設定されており、光ディスク装置は、この光スポットＳＰの反射光に基づいて、グルーブトラック４からのウォブリング周波数成分を含む信号（以下、ＷＢＬ（Ｗｏｂｂｌｅ）信号と称す）に対して、その信号の所定の位相位置にランドトラック２からのＬＰＰ信号を重畳させたラジアルプッシュプル（Ｒａｄｉａｌ　ｐｕｓｈ−ｐｕｌｌ）信号を検出する。光ディスク装置は、このラジアルプッシュプル信号に含まれるＷＢＬ信号及びＬＰＰ信号を抽出し、それらの抽出した信号に基づいて、光ディスク１の回転制御や光ディスク１への情報の記録・再生に係る制御を行うことになる。
【０００５】
なお、光ディスク装置では、ラジアルプッシュプル信号から抽出されたＷＢＬ信号及びＬＰＰ信号を、ある基準レベルに応じて２値化を行い、その２値化したＷＢＬ信号及びＬＰＰ信号から、ＰＬＬ（Ｐｈａｓｅ　Ｌｏｃｋｅｄ　Ｌｏｏｐ）回路等によって構成されるライトクロック生成部において、光ディスク１への情報記録時のタイミング情報としてのライトクロック（以下、ＷＣＬＫ信号と称す）を生成する。
【０００６】
従来のライトクロック生成部の構成は、例えば、以下に示す特許文献１に開示された技術と似た図７に示すような構成をとる。従来のライトクロック生成部５０は、まず、位相比較器５１ａにおいて、ＶＣＯ（Ｖｏｌｔａｇｅ　Ｃｏｎｔｒｏｌｌｅｄ　Ｏｓｃｉｌｌａｔｏｒ）５４の発振周波数に基づく出力信号ＳＦを分周回路５５にてＮ／Ｍ倍に分周した比較信号ＳＣと、２値化ＷＢＬ信号との位相比較を行い、その位相差成分をパルス状の位相差信号として生成する。そして、チャージポンプ５２ａ、ＬＰＦ（Ｌｏｗ　Ｐａｓｓ　Ｆｉｌｔｅｒ）５３ａを介して、位相差信号から高周波成分を除去するとともに、その信号を直流化した制御電圧信号を生成し、この制御電圧信号に基づいて、２値化ＷＢＬ信号と比較信号ＳＣとの位相差がゼロに近づくようにＶＣＯ５４の発振周波数を調整する。
【０００７】
また、ライトクロック生成部５０は、位相オフセット回路５６によって、比較信号ＳＣの位相の基準位置が２値化ＬＰＰ信号の位相の基準位置に近づくように比較信号ＳＣの位相オフセットを調整する。そして、位相比較器５１ｂにおいて、位相オフセット調整後の比較信号ＳＣと２値化ＬＰＰ信号との位相比較を行い、チャージポンプ５２ｂ、ＬＰＦ（Ｌｏｗ　Ｐａｓｓ　Ｆｉｌｔｅｒ）５３ｂを介して生成された制御電圧信号に基づいてＶＣＯ５４の発信周波数を調整する。ライトクロック生成部５０は、以上のような調整を繰り返した後に、２値化ＷＢＬ信号をＭ／Ｎ倍に逓倍し、２値化ＷＢＬ信号及び２値化ＬＰＰ信号のそれぞれと同期化したＶＣＯ５４の出力信号ＳＦをＷＣＬＫ信号として出力する。
【０００８】
すなわち、従来の光ディスク装置では、上述したライトクロック生成部において生成されたＷＣＬＫ信号に基づいて、光ディスクへの情報を記録する際に精度の高いタイミング制御を行っていた。
【０００９】
【特許文献１】
特開２０００−１１３７８号公報
【００１０】
【発明が解決しようとする課題】
ところで、前述したラジアルプッシュプル信号には、トラッキング時に光ビームが照射されたグルーブトラック側のＬＰＰ信号の他に、そのグルーブトラックと隣り合う他のグルーブトラック側のＬＰＰ信号（以下、隣接トラックＬＰＰ信号と称す）が含まれている。ここで、図８のＴａ及びＴｂの破線部に示すように、従来の光ディスク装置では、ラジアルプッシュプル信号における隣接トラックＬＰＰ信号の位相位置が原因となって、ラジアルプッシュプル信号に含まれるＷＢＬ信号を２値化するときのゼロクロスポイント（ＷＢＬ信号がゼロクロスレベルＶｒｅｆを越えるときの位相位置）をずらし、その結果として、２値化ＷＢＬ信号のデューティ比を変動させるという問題点を有していた。
【００１１】
また、２値化ＷＢＬ信号は、ライトクロック生成部を構成するＰＬＬ回路に入力され、ＶＣＯの発信周波数に基づいてＰＬＬ制御されることになるので、従来の光ディスク装置は、上記のように２値化ＷＢＬ信号のデューティ比が変動することによってＰＬＬ回路の動作を不安定にさせるとともに、ＶＣＯ出力としてのＷＣＬＫ信号のジッター（信号の時間軸方向の揺れ）を増大させ、光ディスクへ記録する情報の記録品質を悪化させていた。
【００１２】
そこで、本発明は、上記課題を解決するためになされたものであり、光ディスクへ記録される情報の記録品質を向上させる光ディスク装置及び光ディスク装置の記録制御方法を提供することを目的とする。
【００１３】
【課題を解決するための手段】
前記課題を解決するための主たる本発明は、光ディスクの情報トラックから検出される回転制御用のウォブル信号と、隣り合う前記情報トラックの間から検出される記録位置検索用の第１のプリピット信号とに基づいて、前記光ディスクの回転及び記録のための制御を行う光ディスク装置において、
前記ウォブル信号の２値化信号と基準クロック信号とを位相比較する第１のＰＬＬ手段と、
前記第１のＰＬＬ手段から得られる前記基準クロック信号と前記第１のプリピット信号の２値化信号とを位相比較し、前記情報トラックへ情報を記録するためのクロック信号を出力する第２のＰＬＬ手段と、
隣り合う情報トラック側に対応する第２のプリピット信号を検出する検出手段と、
前記ウォブル信号を２値化するための閾値にて、前記検出手段が前記第２のプリピット信号を検出したとき、前記第１のＰＬＬ手段の位相比較出力を所定時間だけ無効とするための制御信号を出力する制御手段と、を有することである。　　本発明に係る光ディスク装置は、上記のような特徴を有することによって、光ディスクへ記録する情報の記録品質を向上することができる。
【００１４】
本発明の他の特徴については、添付図面及び本明細書の記載により明らかにする。
【００１５】
【発明の実施の形態】
＝＝＝開示の概要＝＝＝
以下の開示により、少なくとも次のことが明らかにされる。
光ディスクの情報トラックから検出される回転制御用のウォブル信号と、隣り合う前記情報トラックの間から検出される記録位置検索用の第１のプリピット信号とに基づいて、前記光ディスクの回転及び記録のための制御を行う光ディスク装置において、前記ウォブル信号の２値化信号と基準クロック信号とを位相比較する第１のＰＬＬ手段と、前記第１のＰＬＬ手段から得られる前記基準クロック信号と前記第１のプリピット信号の２値化信号とを位相比較し、前記情報トラックへ情報を記録するためのクロック信号を出力する第２のＰＬＬ手段と、隣り合う情報トラック側に対応する第２のプリピット信号を検出する検出手段と、前記ウォブル信号を２値化するための閾値にて、前記検出手段が前記第２のプリピット信号を検出したとき、前記第１のＰＬＬ手段の位相比較出力を所定時間だけ無効とするための制御信号を出力する制御手段と、を有することを特徴とする光ディスク装置。
【００１６】
前述した中で、「ウォブル信号」、「第１のプリピット信号」、「第２のプリピット信号」はそれぞれ、従来技術や課題において前述した、「ＷＢＬ信号」、「ＬＰＰ信号」、「隣接トラックＬＰＰ信号」のことである。また、「基準クロック信号」とは、ＶＣＯ出力又はその出力を所定数分周した信号のことであり、「位相比較出力」とは、第１のＰＬＬ手段における位相比較の結果、第１のＰＬＬ手段が有する位相比較器、チャージポンプ、ＬＰＦなどから出力される信号のことである。「制御手段」とは、例えば、後述のホールド信号生成手段のことである。
【００１７】
このように、本発明に係る光ディスク装置は、上記のような特徴を有することによって、第２のプリピット信号を要因とする光ディスクへの情報を記録するためのクロック信号のジッターを改善できるので、光ディスクへ記録する情報の記録品質を向上させた光ディスク装置を提供することができる。なお、本発明の他の好ましい態様を以下に記載する。
【００１８】
本発明の第２の態様について、前記制御手段は、前記第１のＰＬＬ手段の位相比較出力を前記所定時間だけ前の状態に保持するための信号を、前記制御信号として出力する。
【００１９】
本発明の第３の態様について、前記第１のＰＬＬ手段は、前記ウォブル信号の２値化信号と前記基準クロック信号とを位相比較して得られる位相差信号に基づいて動作するチャージポンプ手段を有し、前記制御手段は、前記制御信号を前記チャージポンプ手段に供給することにより、前記チャージポンプ手段の出力を、前記制御信号が出力される前の状態に前記所定時間だけ保持する。
なお、前述した中で「位相差信号」とは、例えば、後述の位相進み信号ＳＡや位相遅れ信号ＳＤのことである。
【００２０】
本発明の第４の態様について、前記制御手段は、前記制御信号を前記チャージポンプ手段に供給することにより、前記チャージポンプ手段の出力を、前記所定時間だけハイインピーダンス状態にする。
【００２１】
本発明の第５の態様について、前記第１のＰＬＬ手段は、前記ウォブル信号の２値化信号と前記基準クロック信号とを位相比較する位相比較手段を有し、前記制御手段は、前記制御信号を前記位相比較手段に供給することにより、前記位相比較手段の出力を、前記制御信号が出力される前の状態に前記所定時間だけ保持する。
【００２２】
本発明の第６の態様について、前記制御手段は、前記制御信号を前記位相比較手段に供給することにより、前記位相比較手段の出力を、前記所定時間だけリセットする。
なお、前述した中で「リセットする」とは、例えば、位相比較手段の出力を負論理やハイインピーダンス状態にすることである。
【００２３】
本発明の第７の態様について、前記第１のＰＬＬ手段は、前記ウォブル信号の２値化信号と前記基準クロック信号とを位相比較して得られる位相差信号に基づいて動作するフィルタ手段を有し、前記制御手段は、前記制御信号を前記フィルタ手段に供給することにより、前記フィルタ手段の出力を、前記制御信号が出力される前の状態に前記所定時間だけ保持する。
【００２４】
本発明の第８の態様について、前記フィルタ手段は、前記位相差信号に基づいて充電又は放電動作を行う容量素子を有し、前記制御手段は、前記制御信号を前記フィルタ手段に供給することにより、前記第２のプリピット信号が検出されたときには、前記フィルタ手段の出力を、前記位相差信号に基づいて前記容量素子への充電又は放電動作が行われる前の状態に前記所定時間だけ保持する。
【００２５】
本発明の第９の態様について、前記光ディスク装置は、前記第２のプリピット信号を２値化する手段を有し、前記制御手段は、前記第２のプリピット信号の２値化信号が所定の論理となっている区間よりも短い区間を前記所定時間とし、前記所定時間に対応する信号を前記制御信号として出力する。
【００２６】
本発明の第１０の態様について、前記制御手段は、前記第１のＰＬＬ手段にて前記ウォブル信号の２値化信号と前記基準クロック信号とを位相比較して出力される位相比較信号と、前記第２のプリピット信号の２値化信号と、の論理積を前記制御信号として出力する。
【００２７】
本発明の第１１の態様について、前記制御手段を前記第１のＰＬＬ手段に備える。
【００２８】
前述したような本発明の態様とすることにより、光ディスクへ記録する情報の記録品質を向上させた光ディスク装置を提供することができる。
【００２９】
＝＝＝実施例＝＝＝
以下、本発明の実施の形態を図面に基づいて具体的に説明する。
【００３０】
＜システム構成＞
まず、本発明の一実施形態である光ディスク装置を含めたシステムの概略構成を、図１を用いて説明する。
【００３１】
同図に示すとおり、光ディスク装置１０は、光ディスクへのデータの記録・再生のための手段としての光ピックアップ１１と、ＷＢＬ検出部１２と、ＬＰＰ検出部１３と、隣接トラックＬＰＰ検出部２５と、ライトクロック生成部１４と、デコーダ１５と、光ディスクを回転動作させる手段としてのスピンドルモーター１６と、そのスピンドルモーターのサーボ機構としてのスピンドルサーボ回路１７と、光ピックアップ１１のサーボ機構としての光ピックアップサーボ回路１８と、プロセッサ（ＣＰＵ）１９と、インタフェース部２０と、エンコーダ２１と、レーザー制御部２２と、ＲＯＭ２３とを有する。また、光ディスク装置１０は、インタフェース部２０を介して、外部のホストコンピュータ２４と接続されており、このホストコンピュータ２４から光ディスク１へ記録すべきデータＳＷＤが入力されることになる。
【００３２】
光ピックアップ１１は、レーザダイオード、ビームスプリッタ、対物レンズ、ホトダイオードなど（いずれも不図示）を含み、レーザ制御信号ＳＤＬに基づいて光ビームＢを光ディスク１の情報トラックに照射し、その反射光を情報トラックの接線方向に対して光学的に平行なホトダイオードの第１の分割受光部と第２の分割受光部とに受光する。なお、光ディスク装置１０は、レベル切り換え回路、振幅調整回路、差分演算器など（いずれも不図示）を介して、上記第１及び第２の分割受光部それぞれの出力信号の振幅を調整し、さらにそれらの信号の差分演算を行うことによってラジアルプッシュプル信号ＳＤＴを検出する。なお、光ピックアップ１１には、光ディスク１面上における光ビームＢの焦点を補正するフォーカスサーボ、入射された光ビームＢの中心とトラック中心とのずれを補正するトラッキングサーボ、光ビームＢの光軸と光ディスク１との直交関係のずれを補正するチルトサーボ、といった各種サーボ制御を行う為のメカニズム（機構）が組み込まれている。
【００３３】
ＷＢＬ検出部１２は、例えば、図２に示すように、ＷＢＬ信号抽出部３０、Ｄ／Ａ変換器３１、コンパレータ３２などによって構成され、光ビームＢの反射光に基づいて検出されたラジアルプッシュプル信号ＳＤＴから、ＷＢＬ信号抽出部３０によってＷＢＬ信号成分Ａ＿ＷＢＬを抽出する。また、ＷＢＬ検出部１２は、プロセッサ１９から指定されたゼロクロスレベル（閾値電圧）ＶｒｅｆをＤ／Ａ変換器２１によってアナログ値Ａ＿Ｖｒｅｆに変換し、さらにこのアナログ値Ａ＿Ｖｒｅｆ（マイナス側）とＷＢＬ信号成分Ａ＿ＷＢＬ（プラス側）とをコンパレータ３２によって比較することで２値化ＷＢＬ信号を出力する。この２値化ＷＢＬ信号は、ライトクロック生成部１４やスピンドルサーボ回路１７などに出力される。なお、ＷＢＬ信号抽出部３０は、ラジアルプッシュプル信号ＳＤＴのレベルを増幅する増幅器や、高周波のノイズ成分を除去するためのＢＰＦ（Ｂａｎｄ　Ｐａｓｓ　Ｆｉｌｔｅｒ）など（いずれも不図示）によって構成される。
【００３４】
ＬＰＰ検出部１３は、例えば、図３に示すように、プロセッサ１９から指定されたデジタル値ＶｓからＤ／Ａ変換器４０によってスライスレベルＳｒｅｆ１を生成し、このスライスレベルＳｒｅｆ１（マイナス側）と光ビームＢの反射光に基づいて検出されたラジアルプッシュプル信号ＳＤＴ（プラス側）とをコンパレータ４１によって比較することで２値化ＬＰＰ信号を出力する。この２値化ＬＰＰ信号は、ライトクロック生成部１４、デコーダ１５などに出力される。
【００３５】
隣接トラックＬＰＰ検出部２５は、例えば、図３に示すように、Ｄ／Ａ変換器４２、コンパレータ４３によって構成され、上記ＬＰＰ検出部１４と同様に、隣接トラックＬＰＰ信号用のスライスレベルＳｒｅｆ２を生成し、このスライスレベルＳｒｅｆ２（プラス側）とラジアルプッシュプル信号ＳＤＴ（マイナス側）とをコンパレータ４２によって比較することで隣接トラック２値化ＬＰＰ信号を出力する。この隣接トラック２値化ＬＰＰ信号は、ライトクロック生成部１４に出力される。
【００３６】
ライトクロック生成部１４は、光ディスク１へ情報を記録するためのライトクロック（ＷＣＬＫ）信号を生成し、デコーダ１５などへ出力する。
【００３７】
デコーダ１５は、２値化ＬＰＰ信号からアドレス情報や同期信号をデコードし、そのデコードした内容をＷＣＬＫ信号と対応づけたタイミング信号ＳＷＴをプロセッサ１９に出力する。
【００３８】
プロセッサ１９は、デコーダ１５から入力されるタイミング信号ＳＷＴを用いて、そのタイミング信号ＳＷＴに含まれているアドレス情報に対応する光ディスク１上のトラック位置に対して、ホストコンピュータ２４からインタフェース部２０を介して受信した記録データＳＷＤの記録動作に係る制御を行う。なお、光ディスク装置１０が、光ピックアップ１１にて光ディスク１に既に記録されていた情報を検出した場合には、プロセッサ１９は、その検出した情報に対して８−１６復調、誤り訂正などを施した後の情報についての再生動作に係る制御も行う。このように、プロセッサ１９は、光ディスク１の記録及び再生に係る光ディスク装置１０全般の制御を行う。
【００３９】
ＲＯＭ２３は、プロセッサ１９によってアクセスされ、ＷＢＬ検出部１２に入力するゼロクロスレベルＶｒｅｆや、ＬＰＰ検出部１３に入力するデジタル値Ｖｓなどの情報を格納する。
【００４０】
エンコーダ２１は、図示しないＥＣＣジェネレータ、８−１６変調部、スクランブラ等を含み、タイミング信号ＳＷＴを反映させた記録データＳＷＤに基づいて、再生時のエラー訂正を行う単位であるＥＣＣブロックを構成するとともに、ＥＣＣブロックに対してインタリーブ、８−１６変調、スクランブル処理を施した後の変調信号ＳＲＥをレーザ制御部２２に出力する。
【００４１】
レーザ制御部２２は、変調信号ＳＲＥに基づいて、光ピックアップ１１内の図示しないレーザダイオードを駆動して光ビームＢを出射させるためのレーザ駆動信号ＳＤＬを光ピックアップ１１に出力する。
【００４２】
スピンドルサーボ回路１７は、ＷＢＬ検出部１２から２値化ＷＢＬ信号やＷＢＬ信号成分Ａ＿ＷＢＬなどのウォブリング周波数情報が入力されると、そのウォブリング周波数情報に基づくスピンドル制御信号ＳＳＳをスピンドルモーター１６に出力し、スピンドルモーター１６の回転をサーボ制御する。
【００４３】
光ピックアップサーボ回路１８は、光ピックアップ１１が有するホトダイオードなどによって検出される信号に基づいて、光ピックアップ１１が有するフォーカス、トラッキング、チルトなどのサーボ機構についてのピックアップサーボ制御信号ＳＳＰを生成し、光ピックアップ１１へ出力する。なお、光ピックアップ１１は、ピックアップサーボ制御信号ＳＳＰが入力されると、フォーカスやトラッキングのずれや、チルト角がゼロとなるように各サーボ機構のオフセット値を調整する。
【００４４】
なお、以上に説明した光ピックアップ１１の構成は、例えば、電波新聞社発行の「ＤＶＤ＆ＤＶＣ入門基本１８章」の１７頁の第１−８図に示されるような周知のハードウェア構成を用いて実現されている。
【００４５】
＜ライトクロック生成部＞
つぎに、本発明に係る第１実施形態としてのライトクロック生成部１４について、図４を用いて説明する。同図に示すように、ライトクロック生成部１４は、２値化ＷＢＬ信号とＶＣＯ７４の発振周波数に基づく出力信号ＳＦを分周回路７５にてＮ／Ｍ倍に分周した比較信号ＳＣとの位相比較を行う第１のＰＬＬ手段７８と、第１のＰＬＬ手段７８によって２値化ＷＢＬ信号との位相差が一定となる状態（以下、この状態のことをロックドイン（ｌｏｃｋｅｄ−ｉｎ）状態と称す）となった場合に、ロックドイン状態における前記比較信号ＳＣの位相オフセットを調整した信号と２値化ＬＰＰ信号との位相比較を行う第２のＰＬＬ手段７９によって構成される。なお、ライトクロック生成部１４は、同図に示す第１のＰＬＬ手段７８のホールド信号生成部７７に係る動作以外は、図７を用いて説明した従来のライトクロック生成部５０と同様な動作となる。
【００４６】
以下では、本発明において特徴的な第１のＰＬＬ手段７８について主に説明する。
第１のＰＬＬ手段７８は、位相比較器７１ａ、チャージポンプ７２ａ、ＬＰＦ７３ａ、ＶＣＯ７４、分周回路７５、ホールド信号生成手段７７などを備える。なお、チャージポンプ７２ａ、ＬＰＦ７３ａ、ホールド信号生成手段７７は、第１のＰＬＬ手段７８に対して外付けにして備えるようにしてもよい。
【００４７】
位相比較器７１ａは、ＶＣＯ５４の発振周波数に基づく出力信号ＳＦを分周回路５５にてＮ／Ｍ倍に分周した比較信号ＳＣと、２値化ＷＢＬ信号との位相比較を行い、パルス状の位相進み信号ＳＡ及び位相遅れ信号ＳＤ（以下、これらを総称して位相差信号と称す）を出力する。なお、位相比較器７１ａとしては、例えば、ＥＸ−ＯＲ（排他的論理和）ゲート応用型位相比較器、ＲＳフリップフロップ応用型位相比較器、ポジティブエッジ・トリガ型トライステート出力位相比較器などとしてよい。
【００４８】
チャージポンプ７２ａは、位相比較器７１ａから供給される位相差信号のレベルを変化させた信号を出力する。なお、チャージポンプ７２ａとしては、同図に示すようなＰＬＬ内蔵型以外に外付けタイプのチャージポンプとしてもよい。また、ＬＰＦの構成に応じて、アクティブ型、パッシブ型、若しくは両方のタイプを内蔵したチャージポンプとしてよい。
【００４９】
ＬＰＦ７３ａは、抵抗素子及び容量素子などによって構成され、チャージポンプ７２ａから供給される信号から高周波成分を除去するとともに、その信号を直流化した制御電圧信号を出力する。なお、ＬＰＦ７３ａとしては、アクティブフィルタ、パッシブフィルタなどとしてよい。
【００５０】
ＶＣＯ７４は、ある一定の自走の発振周波数を有し、ＬＰＦ７３ａから供給される制御電圧信号に基づいて、発振周波数を変化させた信号ＳＦを出力する。なお、同図において、第１のＰＬＬ手段７８と第２のＰＬＬ手段７９がＶＣＯ７４を共用しているが、それぞれ単独に備えるようにしてもよい。
【００５１】
分周回路７５は、ＶＣＯ７４から供給される出力信号ＳＦが所定の周波数となるように、例えば、Ｎ／Ｍ倍に分周する。このように分周することによって、ＶＣＯ７４の出力から、２値化ＷＢＬ信号をＭ／Ｎ倍に逓倍した信号が得られることになる。なお、同図において、第１のＰＬＬ手段７８と第２のＰＬＬ手段７９が分周回路７５を共用しているが、それぞれ単独に備えるようにしてもよい。
【００５２】
ホールド信号生成手段７７は、例えば、同図に示すようなゲート回路によって構成され、位相比較器７１ａから供給される位相進み信号ＳＡ及び位相遅れ信号ＳＤをそれぞれ隣接トラック２値化ＬＰＰ信号とＡＮＤ演算するとともに、それらのＡＮＤ演算出力をＯＲ演算した結果生成される信号（以下、この信号のことをホールド信号と称す）をチャージポンプ７２ａに供給する。なお、チャージポンプ７２ａは、ホールド信号生成手段７７から供給されるホールド信号が所定の論理（例えば、正論理）となる区間において、位相差信号に基づく自身の出力を、ホールド信号が供給される前の状態に保持することになる。
【００５３】
ところで、位相比較器７１ａとしては、前述したポジティブエッジ・トリガ型トライステート出力位相比較器が主に用いられており、そのため、位相比較対象の信号間において位相差が検出されない区間などにおいて、位相比較器７１ａの出力はハイインピーダンス状態となる。
【００５４】
そこで、前述した保持を行うための手段としては、例えば、チャージポンプ７２ａ内部若しくは外部（入力端子側若しくは出力端子側）に備える、チャージポンプ７２ａ出力をホールド信号に基づきハイインピーダンス状態とするゲート回路（例えば、トライステートＩＣ）に対し、このゲート回路の所定の制御端子にホールド信号を入力することによって、ホールド信号が論理的にアクティブとなる区間において、位相差信号に基づくチャージポンプ７２ａ出力をハイインピーダンス状態とするようにしてもよい。
【００５５】
すなわち、ホールド信号生成手段７７は、チャージポンプ７２ａにホールド信号を供給するときに、そのホールド信号が所定の論理（例えば、正論理）となる区間、例えば、位相差信号に基づくチャージポンプ７２ａ出力をハイインピーダンス状態とすることによって、チャージポンプ７２ａ出力を前の状態に保持することになる。
【００５６】
なお、図５は、前述したホールド信号の生成に係る光ディスク装置の主要信号の波形図である。ここで、同図のＴ１及びＴ４の破線部では、ラジアルプッシュプル信号における隣接トラックＬＰＰ信号の位相位置が原因となって、ラジアルプッシュプル信号に含まれるＷＢＬ信号を２値化するときのゼロクロスポイントにずれが生じており、その結果として、２値化ＷＢＬ信号におけるデューティ比の変動が生じている。なお、Ｔ１及びＴ４の破線部では、光ピックアップ１１において検出されたラジアルプッシュプル信号（図５（Ａ））から隣接トラック２値化ＬＰＰ信号（図５（Ｆ））が検出されている。
【００５７】
また、同図のＴ１及びＴ４の破線部では、ＶＣＯ７４出力（比較信号ＳＣ又は出力信号ＳＦ）は２値化ＷＢＬ信号に対して位相差が生じており、Ｔ１の破線部における位相遅れ信号ＳＤ（図５（Ｄ））や、Ｔ４の破線部における位相進み信号ＳＡ（図５（Ｅ））が検出されている。そこで、同図のＴ１及びＴ４の破線部では、位相遅れ信号ＳＤと隣接トラック２値化ＬＰＰ信号との第１のＡＮＤ条件又は位相進み信号ＳＡと隣接トラック２値化ＬＰＰ信号との第２のＡＮＤ条件が成立することになるので、図５（Ｇ）に示すようなホールド信号が生成される。
【００５８】
なお、同図のＴ２及びＴ３の破線部では、隣接トラックＬＰＰ信号に基づく２値化ＷＢＬ信号のデューティ比の変動を懸念する必要がない場合に該当するので、前述した第１及び第２のＡＮＤ条件が成立せず、図５（Ｇ）に示すように、ホールド信号が生成されないことになる。
【００５９】
以上のようにして、本発明に係る光ディスク装置及び光ディスク装置の記録制御方法を適用することによって、隣接トラックＬＰＰ信号に基づく２値化ＷＢＬ信号のデューティ比の変動を要因とした、光ディスクへの情報を記録するためのＷＣＬＫ信号のジッターを改善することができるので、光ディスクへ記録する情報の記録品質を向上させることができる。
【００６０】
＜その他の実施形態＞
本発明に係るその他の実施形態としての光ディスク装置を以下に説明する。
【００６１】
＝＝＝　位相比較器　＝＝＝
上記実施形態において、ホールド信号生成手段７７にて生成されるホールド信号を位相比較器７１ａに供給することよって、そのホールド信号が所定の論理（例えば、正論理）となる区間、位相比較器７１ａの出力をホールド信号が供給される前の状態に保持するようにしてもよい。
【００６２】
ところで、位相比較器７１ａが、前述したポジティブエッジ・トリガ型トライステート出力位相比較器である場合は、位相比較対象の信号間において位相差が検出されないとき、位相比較器７１の出力はハイインピーダンス状態となる。
【００６３】
そこで、前述した保持を行うための手段としては、例えば、位相比較器７１ａの内部若しくは外部（入力端子側若しくは出力端子側）に備える、ホールド信号を入力することによって、位相比較器７１ａ出力をハイインピーダンス状態とするためのゲート回路（例えば、トライステートＩＣ）に対し、このゲート回路の所定の制御端子にホールド信号を入力することによって、ホールド信号が論理的にアクティブとなる区間において、位相比較器７１ａ出力をハイインピーダンス状態とするようにしてもよい。
【００６４】
また、位相比較器７１ａが、前述したＲＳフリップフロップ応用型位相比較器やＥＸ−ＯＲゲート応用型位相比較器である場合、例えば、位相比較対象の信号間において位相差が検出されるときは正論理を、位相差が検出されないときは負論理を出力する。このような位相比較器とする場合、前述した保持を行うための手段としては、位相比較器７１ａの内部若しくは外部（入力端子側若しくは出力端子側）に、ホールド信号を入力することによって、位相比較器７１ａ出力を位相差が検出されないときの論理（例えば、負論理）とするゲート回路を備えるようにしてもよい。
【００６５】
すなわち、ホールド信号生成手段７７は、以上のようにして、位相比較器７１ａにホールド信号を供給するときに、そのホールド信号が所定の論理（例えば、正論理）となる区間において、位相比較器７１ａの出力を、例えば、位相差が検出されないときの論理（例えば、前述したハイインピーダンス状態や負論理のことであり、また、これらの論理に遷移することをリセットと称す）とすることによって、位相比較器７１ａの出力を前の状態に保持することになる。
【００６６】
このようにして、隣接トラックＬＰＰ信号に基づく２値化ＷＢＬ信号のデューティ比の変動を要因とした、光ディスクへの情報を記録するためのＷＣＬＫ信号のジッターを改善することができるので、光ディスクへ記録する情報の記録品質を向上させることができる。
【００６７】
＝＝＝　ＬＰＦ　＝＝＝
また、上記実施形態において、ホールド信号生成手段７７にて生成されるホールド信号をＬＰＦ７３ａに供給することよって、そのホールド信号が所定の論理（例えば、正論理）となる区間、ＬＰＦ７３ａの出力をホールド信号が供給される前の状態に保持するようにしてもよい。
【００６８】
ＬＰＦ７３ａは、一般的に、抵抗素子Ｒと容量素子Ｃを直列に接続し、容量素子Ｃの一方の端子を接地するとともに、抵抗素子Ｒの一方の端子に電圧を印加することによって、容量素子Ｃに対する充電又は放電動作が行われ、抵抗素子Ｒと容量素子Ｃの接続点から出力電圧（ＶＣＯ７４に対する制御電圧信号）を取り出すような構成となる。
【００６９】
ところで、ホールド信号生成手段７７がホールド信号を生成する際には、位相比較器７１ａは位相進み信号ＳＡ又は位相遅れ信号ＳＤとなる位相差信号を出力することになり、また、その位相差信号に基づいて、ＬＰＦ７３ａの容量素子Ｃは充電又は放電動作を行うことになる。
【００７０】
そこで、ＬＰＦ７３ａの内部又は外部（入力端子側又は出力端子側）に対し、ホールド信号生成手段７７から供給されるホールド信号が所定の論理（例えば、正論理）となる区間、位相差信号に基づく容量素子Ｃへの充電又は放電動作を停止するためのゲート回路を備えることによって、ＬＰＦ７３ａの出力を、位相差信号に基づいて容量素子Ｃへの充電又は放電動作が行われる前の状態に保持するようにしても良い。
【００７１】
このようにして、隣接トラックＬＰＰ信号に基づく２値化ＷＢＬ信号のデューティ比の変動を要因とした、光ディスクへの情報を記録するためのＷＣＬＫ信号のジッターを改善することができるので、光ディスクへ記録する情報の記録品質を向上させることができる。
【００７２】
【発明の効果】
本発明によれば、光ディスクへ記録される情報の記録品質を向上させることができる。
【図面の簡単な説明】
【図１】本発明の一実施形態としての光ディスク装置を含めたシステムの概略構成図である。
【図２】本発明の一実施形態としてのＷＢＬ検出部の機能ブロック図である。
【図３】本発明の一実施形態としてのＬＰＰ検出部及び隣接トラックＬＰＰ検出部の機能ブロック図である。
【図４】本発明の一実施形態としてのライトクロック生成部の機能ブロック図である。
【図５】本発明の一実施形態としての光ディスク装置の主要信号を示す波形図である。
【図６】本発明に係る光ディスクのプリフォーマットを説明する図である。
【図７】従来のライトクロック生成部の機能ブロック図である。
【図８】従来の光ディスク装置の主要信号を示す波形図である。
【符号の説明】
１　　光ディスク　　　　　　　　　　２　　ランドトラック
３　　プリピット　　　　　　　　　　４　　グルーブトラック
１０　光ディスク装置　　　　　　　　１１　光ピックアップ
１２　ＷＢＬ検出部　　　　　　　　　１３　ＬＰＰ検出部
１４　ライトクロック生成部　　　　　１５　デコーダ
１６　スピンドルモーター　　　　　　１７　スピンドルサーボ回路
１８　光ピックアップサーボ回路　　　１９　プロセッサ
２０　インタフェース部　　　　　　　２１　エンコーダ
２２　レーザー制御部　　　　　　　　２３　ＲＯＭ
２４　ホストコンピュータ　　　　　　２５　隣接トラックＬＰＰ検出部
３０　ＷＢＬ信号抽出部　　　　　　　３１，４０，４２　Ｄ／Ａ変換器
３２，４１，４３　コンパレータ　　　５１，７１　位相比較器
５２，７２　チャージポンプ　　　　　５３，７３　ＬＰＦ
５４，７４　ＶＣＯ　　　　　　　　　５５，７５　分周回路
５６，７６　位相オフセット回路　　　７７　ホールド信号生成部
７８　第１のＰＬＬ手段　　　　　　　７９　第２のＰＬＬ手段
【図１】
2004103045.tif 000003
【図２】
2004103045.tif 000004
【図３】
2004103045.tif 000005
【図４】
2004103045.tif 000006
【図５】
2004103045.tif 000007
【図６】
2004103045.tif 000008
【図７】
2004103045.tif 000009
【図８】
2004103045.tif 000010